(57)【特許請求の範囲】
【請求項１】
コンクリート構造物の柱梁の接合部で、梁の上面又は下面に、腰壁状構造物を形成し、以下のように構成したことを特徴とする柱梁接合部の補強配筋構造。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋の「長さ端面」の近傍に、前記腰壁主筋及び、前記腰壁主筋の略鉛直方向に位置する前記梁下端主筋を囲うように「先端補強筋」を配筋する。
(5)  (4)に加えて、または、(4)に代えて、前記腰壁主筋の「長さ端面」の近傍で、前記腰壁主筋を下方に向けて折り曲げて前記梁下端主筋の近傍に定着する「先端補強筋」部を形成する。
【請求項２】
柱梁の接合部で、梁の上面又は下面に、腰壁状構造物を形成し、以下のように構成したことを特徴とする柱梁接合部の補強構造。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋と前記腰壁主筋の略鉛直方向に位置する「前記梁上端主筋の一部」を囲う補強鉄筋、または前記腰壁主筋と前記腰壁主筋の略鉛直方向に位置する「前記梁下端主筋の一部」を囲う補強鉄筋、の一方又は両方を複数配筋した。
【請求項３】
コンクリート構造物の柱梁の接合部で、梁の上面又は下面に、腰壁状構造物を形成し、以下のように構成したことを特徴とする柱梁接合部の補強構造。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋の「長さ端面」の近傍に、前記腰壁主筋及び前記腰壁主筋の略鉛直方向に位置する前記梁下端主筋を囲うように「先端補強筋」を配筋する。
(5) 前記梁の長さ方向で、前記「先端補強筋」と前記柱の側面との間に、前記腰壁主筋と前記腰壁主筋の略鉛直方向に位置する前記梁上端主筋を囲う「腰壁あばら筋」と、前記腰壁主筋と前記腰壁主筋の略鉛直方向に位置する前記梁下端主筋を囲う「全体あばら筋」とを配筋する。
【請求項４】
「腰壁あばら筋」と、「全体あばら筋」とを、交互に等間隔で配筋した請求項３記載の柱梁接合部の補強配筋構造。
【請求項５】
腰壁主筋を腰壁状構造物の「高さ端面」の近傍にのみ配筋した請求項１、２、３のいずれか１項に記載の柱梁接合部の補強構造。
【発明の詳細な説明】
【技術分野】
【０００１】
この発明は、主に鉄筋コンクリート構造物で、腰壁等が形成される柱と梁の接合部を補強する柱梁接合部の補強構造に関する。
【背景技術】
【０００２】
従来、柱梁接合部に、柱１の側面２から所定長さだけ、腰壁２０を形成する場合があった。例えば、所定高さに窓枠等の建具を配置するために、窓枠の下枠の下方を腰壁としていた。
【０００３】
この場合には、腰壁２０内には一般の壁と同様に、縦筋５１及び横筋５２を格子状に配置して、各縦筋５１、５２の梁側の端部を梁１０内に定着させ、各横筋５２の柱側の端部を柱１内に定着させていた（図９。非特許文献１、第一の従来例）。
【０００４】
また、この場合、腰壁２０の厚さ内に縦筋５１及び横筋５２を２組配置するいわゆるダブル配筋をする場合もあった。
【０００５】
また、腰壁２０の機能は前述のように窓枠などを載せるための部材と考えて、腰壁２０は一般に、非構造部として設計することが多かった。従って、力学的に、柱梁の接合部から切り離して設計し、例えば、柱１の側面２と腰壁２０との間に構造スリット５３を形成していた（図１０。非特許文献２、第二の従来例）。
【０００６】
また、柱梁接合部の曲げ耐力を強化するために、直角三角形の斜辺の位置に斜め主筋５４を配置して、斜め主筋５４一端部５４ａを柱１内に、他端部５４ｂを梁１０内に定着させていた。この場合、斜め主筋５４の部分でコンクリートを増し打ちして、長方形状の腰壁２０形成していた（図１１。非特許文献３、第三の従来例）。
【先行技術文献】
【非特許文献】
【０００７】
【非特許文献１】日本建築学会、「鉄筋コンクリート造配筋指針・同解説」、2001年9月、pp.198-203
【非特許文献２】土交通省住宅局建築指導課ほか、「2007年版  建築物の構造関係技術基準解説書」、2007年8月、p.661
【非特許文献３】日本建築学会、「鉄筋コンクリート造配筋指針・同解説」、2001年9月、pp.32-33、pp.190-193
【発明の概要】
【発明が解決しようとする課題】
【０００８】
前記第一の従来例の場合、地震時の変形性能が高く、腰壁２０の損傷（ひび割れの本数やひび割れ幅）が大きくなり、柱梁接合部の有効な補強にはならなかった。また、第二の従来例の場合には、もともと補強するものでは無かった。また、第三の従来例はある程度の補強効果は認められるが、鉄筋の加工や配筋が煩雑で、内部空間の意匠上の制約も生じていた。更に、腰壁２０の上面２１を整えるために事後的にコンクリートを増し打ちする必要があり、総じて施工が面倒となる問題があった。
【０００９】
したがって、従来の補強構造に荷重を負荷して、変形−荷重のグラフで表すと、第一の従来例（Ｂ１）、第二の従来例（Ｂ２）、第三の従来例（Ｂ３）となる（図８）。
【課題を解決するための手段】
【００１０】
そこでこの発明では、腰壁に腰壁主筋を配筋するとともに、腰壁主筋を変形したので、あるいは腰壁主筋と梁主筋とを囲うせん断補強効果のある鉄筋を配筋したので、前記問題点を解決した。
【００１１】
すなわち、第１の発明は、コンクリート構造物の柱梁の接合部で、梁の上面又は下面に、腰壁状構造物を形成し、以下のように構成したことを特徴とする柱梁接合部の補強配筋構造である。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋の「長さ端面」の近傍に、前記腰壁主筋及び、前記腰壁主筋の略鉛直方向に位置する前記梁下端主筋を囲うように「先端補強筋」を配筋する。
(5)  (4)に加えて、または、(4)に代えて、前記腰壁主筋の「長さ端面」の近傍で、前記腰壁主筋を下方に向けて折り曲げて前記梁下端主筋の近傍に定着する「先端補強筋」部を形成する。
【００１２】
また、第２の発明は、柱梁の接合部で、梁の上面又は下面に、腰壁状構造物を形成し、以下のように構成したことを特徴とする柱梁接合部の補強構造である。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋と前記腰壁主筋の略鉛直方向に位置する「前記梁上端主筋の一部」を囲う補強鉄筋、または前記腰壁主筋と前記腰壁主筋の略鉛直方向に位置する「前記梁下端主筋の一部」を囲う補強鉄筋、の一方又は両方を複数配筋した。
【００１３】
また、第３の発明は、コンクリート構造物の柱梁の接合部で、梁の上面又は下面に、腰壁状構造物を形成し、以下のように構成したことを特徴とする柱梁接合部の補強構造である。
(1) 前記腰壁状構造物は、前記柱側面より前記梁の長さ方向の「長さ端面」までの長さをＬ１とし、前記梁の上面又は下面から前記柱の高さ方向の「高さ端面」までの高さをＨ１とし、かつ前記梁の巾Ｄ０より狭い巾Ｄ１で形成される。
(2) 前記梁は、梁上端主筋と梁下端主筋とを囲むように、梁あばら筋が配筋されている。
(3) 前記腰壁状構造物に、前記梁に沿った腰壁主筋を配筋する。
(4) 前記腰壁主筋の「長さ端面」の近傍に、前記腰壁主筋及び前記腰壁主筋の略鉛直方向に位置する前記梁下端主筋を囲うように「先端補強筋」を配筋する。
(5) 前記梁の長さ方向で、前記「先端補強筋」と前記柱の側面との間に、前記腰壁主筋と前記腰壁主筋の略鉛直方向に位置する前記梁上端主筋を囲う「腰壁あばら筋」と、前記腰壁主筋と前記腰壁主筋の略鉛直方向に位置する前記梁下端主筋を囲う「全体あばら筋」とを配筋する。
【００１４】
また、前記第３の発明において、「腰壁あばら筋」と、「全体あばら筋」とを、交互に等間隔で配筋した柱梁接合部の補強配筋構造である。
【００１５】
さらに、前記第１〜第３の発明において、腰壁主筋を腰壁状構造物の「高さ端面」の近傍にのみ配筋した柱梁接合部の補強構造である。
【００１６】
前記における「腰壁状構造物」は、梁の上面側に形成される腰壁、梁の下面側に形成される垂れ壁の何れも含む構造物である。また、前記において「梁に沿った腰壁主筋」とは、腰壁主筋の向きを指し、梁の長さ方向（梁主筋の軸方向）と腰壁主筋の軸方向とが略一致していることを意味している。
【発明の効果】
【００１７】
コンクリート構造物の柱梁接合部で、梁に腰状構造物を形成して、腰壁状構造物に腰壁主筋及び先端補強筋等を配筋したので柱際の変形を拘束し、腰壁の先端面位置近傍での変形を可能にするため、梁のスパンが構造計画上、短く評価することができ、高い剛性と耐力及び高い変形性能を発揮できる効果がある。
【００１８】
また、腰状構造物を、接合部の通常の施工の流れで、施工ができるので、簡易な施工で腰壁等を使用して、柱梁接合部を有効に補強できる。したがって、腰壁を形成することで、必要な性能を維持して梁の断面積を小さく設定することもできるので、設備施工の際に梁の貫通作業を軽減して、また建物の内部空間を有効利用できる効果がある。
【図面の簡単な説明】
【００１９】
【図１】図１はこの発明の実施例の正面図である。
【図２】図２（ａ）は図１のＡ−Ａ線における断面図、（ｂ）はＢ−Ｂ線における断面図である。
【図３】図３は、せん断設計時の有効断面を表す図で、（ａ）は上端引張時、（ｂ）は上端圧縮時を夫々表す。
【図４】図４（ａ）は、せん断設計時の先端補強筋の量を説明する概念図、（ｂ）は先端補強筋の機能を説明する概念図である。
【図５】図５（ａ）〜（ｃ）はこの発明の他の実施態様の縦断面図である。
【図６】図６はこの発明の他の実施態様の断面図である。
【図７】図７（ａ）（ｂ）はこの発明の他の実施例で、図２（ａ）（ｂ）に対応する。
【図８】図８はこの発明の実施例と従来例とを比較した、変形−荷重のグラフである。
【図９】図９は第一従来例で、（ａ）（ｂ）は概略した縦断面図である。
【図１０】図１０は第二従来例で、（ａ）（ｂ）は概略した縦断面図である。
【図１１】図１１は第三従来例で、（ａ）（ｂ）は概略した縦断面図である。
【発明を実施するための形態】
【００２０】
１．柱梁接合部の補強構造
【００２１】
（１）  柱１の側面２に梁１０が接合された柱梁接合部で、梁１０の上端主筋１４は、最上段１４Ａ、１４Ａに６本、その下側に最下段１４Ｂ、１４Ｂの４本が配筋されたいわゆるダブル配筋である。また、下端主筋１５は、最下段１５Ｂ、１５Ｂに６本、その上側に最上段１５Ａ、１５Ａに４本が配筋されたいわゆるダブル配筋である。
【００２２】
また、構築予定の梁１０は、幅Ｄ０、高さ（せい）Ｈ０  で形成する。また、構築予定の腰壁２０は、
幅Ｄ１（＜Ｄ０）、
高さ（梁１０の上面１１から腰壁２０の上面２１までの距離）Ｈ１
で形成する（図１、図２（ａ））。
【００２３】
（２）  通常の施工と同様に、柱主筋（図示していない）、梁主筋１４、１５を配筋するとともに、柱帯筋（図示していない）、梁あばら筋１６、１６を配筋する。
【００２４】
構築予定の腰壁２０の上面２１の近傍（上面２１よりかぶり厚程度の距離を空けた下方）に、腰壁主筋２４、２４を、横方向（梁主筋１４、１５と平行）に配筋する。腰壁主筋２４は、一端２５側に定着板２７を取り付けて、一端２５は、定着２７板を取り付けた状態で、構築予定の腰壁２０の先端面（長さ端面）２２の内側に必要なかぶり厚を確保した状態で配筋する。また、腰壁主筋２４、２４の他端２６側は柱１内（柱帯筋の内側）に定着させてある（図５（ｃ）参照）。
【００２５】
最上段の腰壁主筋２４Ａ、２４Ａ（３本）と、その略鉛直で下方に位置する最下段の梁１０の下端主筋１５Ｂ、１５Ｂ（３本）との間に、先端補強筋３１、３１を配筋する（図１）。先端補強筋３１は、腰壁２０と梁１０が一体となって、内部に発生するせん断力に対しトラス機構（後述する）で抵抗する構造を想定し、合計６巻き分を形成する（複数巻きが望ましい）。従って、腰壁主筋２４、２４の全体と、その腰壁主筋２４、２４の略鉛直で下方に位置する「梁１０の上端主筋１４及び下端主筋１５」とが、先端補強筋３１、３１で囲われる。従って、先端補強筋３１は、腰壁主筋２４Ａの下方に位置する梁１０の主筋１４Ａ、１４Ｂ、１５Ａ、１５Ｂであっても、腰壁２０（幅Ｄ１）から外れる部分の鉄筋を囲わない。
【００２６】
（３）  また、腰壁主筋２４、２４の長さ方向で、構築予定の柱１の側面２と、先端補強筋３１、３１との間に、交互かつ等間隔に、全体あばら筋３３及び腰壁あばら筋３５を配
筋する（図１）。
【００２７】
全体あばら筋３３は、最上段の腰壁主筋（３本）２４Ａ、２４Ａと、その下方に位置する最下段の梁１０の下端主筋１５Ｂ、１５Ｂ（３本）との間に、幅Ｄ１、せい「Ｈ０＋Ｈ１」の梁を想定したコンクリートに対し、梁１０のせん断補強筋の仕様に準じた構造で配筋する。従って、腰壁主筋２４、２４と、その腰壁主筋２４の略鉛直で下方に位置する「梁の上端主筋１４及び梁の下端主筋１５」とが、全体あばら筋３３で囲われる（図２（ａ））。従って、全体あばら筋３３は、腰壁主筋２４Ａの下方に位置する梁１０の主筋１４Ａ、１４Ｂ、１５Ａ、１５Ｂであっても、腰壁２０（幅Ｄ１）から外れる部分の鉄筋を囲わない。
【００２８】
また、腰壁あばら筋３５は、最上段の腰壁主筋２４Ａ、２４Ａ（３本）と、その略鉛直で下方に位置する最下段の梁の上端主筋１４Ｂ（２本）との間に、幅Ｄ１、せい「Ｈ１＋Ｈ２（梁１０の上面１１から上端主筋１４Bまでの長さ。図１、図２（ｂ））」の梁を想定したコンクリートに対し、梁１０のせん断補強筋の仕様に準じた構造で配筋する。従って、腰壁主筋２４と、その腰壁主筋２４の略鉛直で下方に位置する「梁の上端主筋１４（１４Ａ、１４Ｂ）」が、腰壁あばら筋３５で囲われる（図２（ｂ））。従って、腰壁あばら筋３５は、腰壁主筋２４Ａの下方に位置する梁１０の上端主筋１４Ａ、１４Ｂであっても、腰壁２０（幅Ｄ１）から外れる部分の鉄筋を囲わない。
【００２９】
また、腰壁主筋２４、２４で、定着板２７を設けた側（先端面２２側）にも腰壁あばら筋３５を形成する（図１）。この場合、例えば、定着板２７を貫通した腰壁主筋２４の一端２５付近に腰壁あばら筋３５を配筋する（図１）。
【００３０】
（４）  以上のようにして、配筋構造とする。配筋構造であるので、記載順は施工順とは必ずしも一致していない。
【００３１】
また、前記において、腰壁主筋２４は梁主筋１４、１５と同程度の性能の鉄筋（引張強度、径など）を使用し、全体あばら筋３３、腰壁あばら筋３５は、梁のあばら筋１６と同程度の性能の鉄筋（引張強度、径など）を使用する。また、先端補強筋３１は、本数によるが、一般に、性能では、
全体あばら筋３３（腰壁あばら筋３５）＜先端補強筋３１＜腰壁主筋２４
程度を使用する。ただし、鉄筋の選択は一例であり、求める性能を実現できるように、適宜選択して使用する。
【００３２】
（５）  上記配筋と前後して、または同時に、従来と同様な構造の必要な型枠を構築して、型枠内にコンクリートを打設して、コンクリートが固化発現後に、この発明の補強構造４０を構築する（図１、図２）。
【００３３】
なお、前記において、梁１０の上端主筋１４、下端主筋１５が、夫々上下２段（いわゆるダブル配筋）について、説明したが３段以上の場合にも同様に適用でき、また、梁１０の上端筋１４、下端筋１５が上下１段（いわゆるシングル配筋）の場合にも適用できる（図示していない）。
【００３４】
２．柱梁接合部の補強構造４０の実際の設計及び評価
【００３５】
（１）  このように形成した補強構造４０では、腰壁２０と梁１０とが一体的に挙動して、腰壁２０の上面２１に引張荷重が作用する際には、腰壁２０を含む腰壁２０の下に連続する梁１０を含めて、壁梁としてせん断設計し、全体あばら筋量を決定する（図３（ａ））。
【００３６】
また、腰壁２０の上面２１に圧縮力が作用した場合には、腰壁２０とその下方の梁１０の上端主筋１４、１４によって囲まれる部分を有効断面としたせん断設計をする（図３（ｂ））。
【００３７】
なお実験では、全体あばら筋３３を、せん断補強筋比０．４２％で、間隔を１３０ｍｍとした。また、腰壁あばら筋３５を、せん断補強筋比０．６８％で、全体あばら筋３３も考慮した間隔を６５ｍｍとした。
【００３８】
すなわち、上端引張時には、全体あばら筋３３で囲まれた範囲のコンクリートがせん断抵抗するものとして全体あばら筋必要量を計算し（図３（ａ））、上端圧縮時には、腰壁あばら筋３５で囲まれた範囲のコンクリートがせん断抵抗するものとして「腰壁あばら筋及び全体あばら筋」必要量を計算する（図）３（ｂ））。
【００３９】
（２）  先端補強筋３１、３１は、腰壁２０の高さＨ１と梁せいＨ０との和Ｌ２（Ｈ１＋Ｈ０）、と想定する塑性領域の長さＬ３によって決まる割合と、腰壁主筋２４の荷重（腰壁主筋２４の合計）との関係で決定する。即ち、先端補強筋３１の引張力Ｔ２と腰壁主筋２４の荷重Ｔ１とした場合、
Ｔ１：Ｔ２＝Ｌ１：Ｌ２
となる（図４（ａ））。
【００４０】
（３）  上記の構造では、腰壁主筋２４、２４を腰壁２０の上端部（腰壁２０の上面２１付近）にのみ配筋して、腰壁２０の中立軸より離れた位置に鉄筋を集約することにより、腰壁２０の曲げ耐力を向上させることができる（図１〜図６）。
また、少なくとも腰壁２０の上端部に腰壁主筋２４、２４を配筋して、腰壁２０の上端部に加えて、腰壁２０の下端部や中間部への腰壁主筋２４、２４を配筋することもできる。例えば、求める性能によっては、腰壁２０の高さ方向で、略均等に分散して腰壁主筋２４、２４を配筋することもできる（図７）。
【００４１】
また、腰壁あばら筋３５は、梁１０（腰壁２０）に上端圧縮の曲げ応力が作用した時に、主に、梁１０のせん断力を柱１に伝達する。また、腰壁あばら筋３５は、腰壁２０のコンクリートを拘束することによって、コンクリートの圧縮靱性を向上して、梁１０の変形性能を向上させる。
【００４２】
また、全体あばら筋３３は、梁１０（腰壁２０）に上端引張の曲げ応力が作用した時に、主に、梁１０のせん断力を柱１に伝達する。また、全体あばら筋３３は、腰壁２０と梁１０とが構造的に分離して、いわゆる目別れ４３が発生することを防ぎ、柱１と梁１０と腰壁２０とからなる補強構造４０の一体性を保つことができる（図４（ｂ））。
【００４３】
また、先端補強筋３１は、上記全体あばら筋３３の機能に加え、腰壁２０の先端面２２に生じるひび割れ４２、４２のひび割れ幅の拡張を抑制する（図４（ｂ））。また、上端引張によって腰壁主筋２４が降伏し、腰壁２０の塑性領域（柱１の腰壁２０側の側面２から腰壁２０の先端面２２側に形成される前記長さＬ３の部分）が進展（腰壁主筋２４が付着劣化）した際に、先端補強筋３１と腰壁主筋２４の定着とコンクリートの圧縮との三者でトラス機構を形成することにより、補強構造（柱梁接合部）４０の靱性を確保することができる（図４（ａ））。
【００４４】
腰壁主筋２４を確実に降伏させるためには、腰壁主筋２４の荷重Ｔ１が降伏荷重Ｔ１ｙに達したときに、先端補強筋３１は許容引張力Ｔ２以上の能力を有している必要がある。また、Ｔ１ｙとＴ２によって生じる反力は、コンクリートの圧縮力Ｃ１によって抵抗する。Ｔ１ｙ：Ｔ２＝Ｌ１：Ｌ２の関係にある場合、コンクリートの圧縮力Ｃ１は、腰壁主筋２４と先端補強筋３１との交点から柱際と梁１０の下面の交点に向かう右下方の角度で形成される（図４（ａ））。
【００４５】
３．他の実施態様
【００４６】
（１）  前記実施態様では、柱１の片側の側面２側で説明したが（図５（ｃ））、柱１の両側面２、２に梁１０、１０が接合する場合（中柱）にも適用できる（図５（ａ）（ｂ））。この場合、片側の側面２の梁１０にのみ腰壁２０を形成する場合には、腰壁主筋２４の柱１側の他端２６は、柱１内で他端２６に定着板２７を設けて定着する（図５（ａ））。梁１０及び柱１の配筋は従来と同様である。  
また、柱１の両面に梁１０、１０が接合する場合（中柱）で、両側の梁１０に腰壁２０を形成する場合には、腰壁主筋２４は、柱１を貫通して腰壁主筋２４の他端２６は、一端２５と同様に、腰壁２０の先端面（右端面。長さ端面）２２の内側に必要なかぶり厚を確保した状態で位置し、定着板２７を設けて定着する（図５（ｂ））。
【００４７】
（２）  また、前記実施例では、腰壁主筋２４を水平に形成して、これに直交するように先端補強筋３１を配筋したが、腰壁主筋２４と先端補強筋３１とを一体に形成することもできる。すなわち、腰壁主筋２４、２４の腰壁２０の先端面２２側を下方に折り曲げて先端補強筋部３１を形成し、先端補強筋部３１を配筋すべき位置に沿って、最上段の梁１０下端主筋１５、１５まで先端を至らせて、定着することもできる（図６）。この場合、腰壁主筋２４の下端（先端補強筋部３１の下端）は、梁１０の最上段の下端主筋１５Ａより下方に位置させる。
【００４８】
（３）  また、前記実施例において、梁１０の上面２１に上階の梁１０の下面に高さが至らない腰壁２０について説明したが、梁１０の下面２１ａに下階の梁１０の上面に高さが至らない垂れ壁に同様に適用した補強構造とすることもできる（図示していない）。また、梁２０の上面２１に腰壁２０、下面２１ａに垂れ壁が形成された補強構造とすることもできる（図示していない）。
【符号の説明】
【００４９】
１      柱
２      柱の側面
１０    梁
１１    梁の上面
１２    梁の下面
１４    梁の上端主筋
１４Ａ  梁の上端主筋（最上段）
１４Ｂ  梁の上端主筋（最下段）
１５    梁の下端主筋
１５Ａ  梁の下端主筋（最上段）
１５Ｂ  梁の下端主筋（最下段）
１６    梁のあばら筋
２０    腰壁
２１    腰壁の上面
２２    腰壁の先端面
２４    腰壁主筋
２４Ａ  腰壁主筋（最上段）
２５    腰壁主筋の一端
２６    腰壁主筋の他端
２７    定着板
３１    先端補強筋（先端補強筋部）
３３    全体あばら筋
３５    腰壁あばら筋
５１    縦筋（従来例）
５２    横筋（従来例）
５３    構造スリット（従来例）
５４    斜め主筋（従来例）
５４ａ、５４ｂ  斜め主筋の端部（従来例）
５５    補強筋（従来例）
【図１】
0005939707.tif 000002
【図２】
0005939707.tif 000003
【図３】
0005939707.tif 000004
【図４】
0005939707.tif 000005
【図５】
0005939707.tif 000006
【図６】
0005939707.tif 000007
【図７】
0005939707.tif 000008
【図８】
0005939707.tif 000009
【図９】
0005939707.tif 000010
【図１０】
0005939707.tif 000011
【図１１】
0005939707.tif 000012